【事件の表示】
　特許第６１４８３７５号発明「外壁仕上げ材の補修工法」の特許異議申立事件について、次のとおり決定する。
【結　論】
　特許第６１４８３７５号の特許請求の範囲を訂正請求書に添付された特許請求の範囲のとおり、訂正後の請求項〔１−４、８−１１〕について、訂正することを認める。
　特許第６１４８３７５号の請求項２、７、８に係る特許を維持する。
　特許第６１４８３７５号の請求項１に係る特許についての特許異議の申立てを却下する。
【理　由】
第１　手続の経緯
　特許第６１４８３７５号の請求項１〜８に係る特許についての出願は、平成２８年６月２１日に出願したものであって、平成２９年５月２６日付けでその特許権の設定登録がされ、その後、平成２９年１１月１５日に特許異議申立人アサヒボンド工業株式会社（以下「申立人」という。）より、請求項１、２、７、８に対して特許異議の申立てがされ、平成３０年２月７日付けで取消理由（発送日同年２月１５日）が通知され、その指定期間内である同年４月１３日に意見書の提出及び訂正請求がなされ、同年６月６日に申立人から意見書が提出されたものである。
第２　訂正請求について
１　訂正の内容
　本件訂正請求による訂正の内容は以下の（１）〜（８）のとおりである。（下線は訂正箇所を示す。）
（１）訂正事項１
　特許請求の範囲の請求項１を削除する。
（２）訂正事項２
　特許請求の範囲の請求項２について、
「
建築物の外壁仕上げ材を補修する外壁仕上げ材の補修工法であって、
　
前記外壁仕上げ材を前記建築物の躯体に接着する接着層と前記躯体との間に隙間が生じ、前記外壁仕上げ材が前記躯体から浮いている浮き部を特定する工程と、
　
前記浮き部の領域内に位置する前記外壁仕上げ材としてのタイルの目地における第１の位置に、前記目地を貫通するとともに、前記接着層を貫通して、前記躯体の表面から所定の深さに達する孔を形成する工程と、
　
前記孔から接着材を注入することにより、前記隙間に前記接着材を充填する工程と、
　
前記接着材が充填された後、ビスアンカー部材を前記孔に挿入して締め付けることにより、前記接着層を前記躯体に固定する工程と、
　
前記ビスアンカー部材を孔埋め材によって覆う工程と、
　
充填された前記接着材を硬化させる工程と
を備え、
　
前記接着層を前記躯体に固定する工程では、
　
前記ビスアンカー部材として、一端側に頭部が形成され、前記頭部から他端側の先端部にわたりネジ山が形成されたビスアンカー部材を用い、
　
前記接着材が注入された前記孔に、前記ビスアンカー部材を差し込み、前記ネジ山によって、前記接着層および前記躯体を切り込みながら前記ビスアンカー部材を締め付けることにより、前記ネジ山が、前記躯体および前記接着層のそれぞれに食い込む態様で、前記頭部と前記躯体との間に前記接着層がかしめられて、前記接着層が前記躯体に固定され、
　前記孔の開口端に位置する前記目地の部分に座掘りを形成する工程を含む
、外
と訂正する。
　請求項２の記載を直接的又は間接的に引用する請求項３，４，８も同様に訂正する。
（３）訂正事項３
　特許請求の範囲の請求項３について、
「前記接着材を注入する前に、前記浮き部の前記領域内に位置する前記タイルの前記目地における、前記第１の位置から距離を隔てられた第２の位置に、前記躯体に達する空気抜き孔を形成する工程を含む、請求
項２
と訂正する。
　請求項３の記載を引用する請求項８も同様に訂正する。
（４）訂正事項４
　特許請求の範囲の請求項４について、
「前記接着材を注入する前に、
　前記浮き部の前記領域内に位置する前記タイルの前記目地における、前記第１の位置から距離を隔てられた第２の位置に、前記目地を貫通するとともに、前記接着層を貫通して、前記躯体の表面から他の所定の深さに達する他の孔を形成する工程と、
　タッピングビスを前記他の孔に挿入して締め付けることにより、前記接着層を前記躯体に固定する工程と
　を含む、請求
項２
と訂正する。
　請求項４の記載を引用する請求項８も同様に訂正する。
（５）訂正事項５
　特許請求の範囲の請求項８について、
「前記孔を形成する工程では、前記所定の深さは２０ｍｍ以上とされる、請求項
２
と訂正する。
（６）訂正事項６
　特許請求の範囲の請求項３のうち、請求項１を引用するものについて、
「
建築物の外壁仕上げ材を補修する外壁仕上げ材の補修工法であって、
　
前記外壁仕上げ材を前記建築物の躯体に接着する接着層と前記躯体との間に隙間が生じ、前記外壁仕上げ材が前記躯体から浮いている浮き部を特定する工程と、
　
前記浮き部の領域内に位置する前記外壁仕上げ材としてのタイルの目地における第１の位置に、前記目地を貫通するとともに、前記接着層を貫通して、前記躯体の表面から所定の深さに達する孔を形成する工程と、
　
前記孔から接着材を注入することにより、前記隙間に前記接着材を充填する工程と、
　
前記接着材が充填された後、ビスアンカー部材を前記孔に挿入して締め付けることにより、前記接着層を前記躯体に固定する工程と、
　
前記ビスアンカー部材を孔埋め材によって覆う工程と、
　
充填された前記接着材を硬化させる工程と
　
を備え、
　
前記接着層を前記躯体に固定する工程では、
　
前記ビスアンカー部材として、一端側に頭部が形成され、前記頭部から他端側の先端部にわたりネジ山が形成されたビスアンカー部材を用い、
　
前記接着材が注入された前記孔に、前記ビスアンカー部材を差し込み、前記ネジ山によって、前記接着層および前記躯体を切り込みながら前記ビスアンカー部材を締め付けることにより、前記ネジ山が、前記躯体および前記接着層のそれぞれに食い込む態様で、前記頭部と前記躯体との間に前記接着層がかしめられて、前記接着層が前記躯体に固定され、
　
前記接着材を注入する前に、前記浮き部の前記領域内に位置する前記タイルの前記目地における、前記第１の位置から距離を隔てられた第２の位置に、前記躯体に達する空気抜き孔を形成する工程を含む、外壁仕上げ材の補修工法。
とし、新たに請求項９とする。
（７）訂正事項７
　特許請求の範囲の請求項４のうち、請求項１を引用するものについて、
「
建築物の外壁仕上げ材を補修する外壁仕上げ材の補修工法であって、
　
前記外壁仕上げ材を前記建築物の躯体に接着する接着層と前記躯体との間に隙間が生じ、前記外壁仕上げ材が前記躯体から浮いている浮き部を特定する工程と、
　
前記浮き部の領域内に位置する前記外壁仕上げ材としてのタイルの目地における第１の位置に、前記目地を貫通するとともに、前記接着層を貫通して、前記躯体の表面から所定の深さに達する孔を形成する工程と、
　
前記孔から接着材を注入することにより、前記隙間に前記接着材を充填する工程と、
　
前記接着材が充填された後、ビスアンカー部材を前記孔に挿入して締め付けることにより、前記接着層を前記躯体に固定する工程と、
　
前記ビスアンカー部材を孔埋め材によって覆う工程と、
　
充填された前記接着材を硬化させる工程と
　
を備え、
　
前記接着層を前記躯体に固定する工程では、
　
前記ビスアンカー部材として、一端側に頭部が形成され、前記頭部から他端側の先端部にわたりネジ山が形成されたビスアンカー部材を用い、
　
前記接着材が注入された前記孔に、前記ビスアンカー部材を差し込み、前記ネジ山によって、前記接着層および前記躯体を切り込みながら前記ビスアンカー部材を締め付けることにより、前記ネジ山が、前記躯体および前記接着層のそれぞれに食い込む態様で、前記頭部と前記躯体との間に前記接着層がかしめられて、前記接着層が前記躯体に固定され、
　
前記接着材を注入する前に、
　
前記浮き部の前記領域内に位置する前記タイルの前記目地における、前記第１の位置から距離を隔てられた第２の位置に、前記目地を貫通するとともに、前記接着層を貫通して、前記躯体の表面から他の所定の深さに達する他の孔を形成する工程と、
　
タッピングビスを前記他の孔に挿入して締め付けることにより、前記接着層を前記躯体に固定する工程と
を含む、外壁仕上げ材の補修工法。
とし、新たに請求項１０とする。
（８）訂正事項８
　特許請求の範囲の請求項８のうち、請求項１を引用する請求項３を引用するものと、請求項１を引用する請求項４を引用するものについて、
「
前記孔を形成する工程では、前記所定の深さは２０ｍｍ以上とされる、請求項９または請求項１０に記載の外壁仕上げ材の補修工法。
とし、新たに請求項１１とする。
２　訂正の適否
（１）訂正事項１について
　訂正事項１は、請求項１を削除するものであり、特許請求の範囲の減縮を目的とするものであって、新規事項の追加に該当せず、また、実質上特許請求の範囲を拡張し、又は変更するものではない。
（２）訂正事項２について
　訂正事項２は、訂正前の請求項２が訂正前の請求項１を引用する記載であったものを、引用関係を解消して、請求項１を引用しないものとするものであるから、他の請求項の記載を引用する請求項の記載を当該他の請求項の記載を引用しないものとすることを目的とするものである。
　そして、訂正事項２は、新規事項の追加に該当せず、また、実質上特許請求の範囲を拡張し、又は変更するものではないことは明らかである。
（３）訂正事項３〜５について
　訂正事項３〜５は、上記訂正事項１の訂正に伴って、引用する請求項を整合させるものであるから、明瞭でない記載の釈明を目的とするものである。
　また、訂正事項３〜５は、願書に添付した明細書、特許請求の範囲又は図面に記載した事項の範囲内の訂正であって、実質上特許請求の範囲を拡張し、又は変更するものでもないことは明らかである。
（４）訂正事項６、７について
　訂正事項６、７は、それぞれ訂正前の請求項３、４が訂正前の請求項１を引用する記載であったものを、引用関係を解消して、新たにそれぞれ請求項９、１０として、請求項１を引用しないものとするものであるから、他の請求項の記載を引用する請求項の記載を当該他の請求項の記載を引用しないものとすることを目的とするものである。
　そして、訂正事項６、７は、新規事項の追加に該当せず、また、実質上特許請求の範囲を拡張し、又は変更するものではないことは明らかである。
（５）訂正事項８について
　訂正事項８は、上記訂正事項１、６、７の訂正に伴って、引用する請求項を整合させるものであるから、明瞭でない記載の釈明を目的とするものである。
　また、訂正事項８は、願書に添付した明細書、特許請求の範囲又は図面に記載した事項の範囲内の訂正であって、実質上特許請求の範囲を拡張し、又は変更するものでもないことは明らかである。
（６）一群の請求項について
　訂正前の請求項１〜４、８は、請求項２〜４、８が、訂正の請求の対象である請求項１の記載を引用する関係にあるから、訂正前の請求項１〜４、８は、それぞれ訂正前において一群の請求項に該当するものである。したがって、訂正の請求は、一群の請求項ごとにされたものである。
３　小括
　よって、上記訂正請求による訂正事項１〜８は、特許法第１２０条の５第２項ただし書第１号、第３号、第４号に掲げる事項を目的とするものであり、かつ、同条第９項で準用する同法第１２６条第５項、第６項までの規定に適合するので、訂正後の請求項〔１−４、８−１１〕について訂正を認める。
第３　特許異議の申立てについて
１　訂正後の請求項２、７、８に係る発明
　上記訂正請求により訂正された請求項２、７、８に係る発明（以下「本件発明２」等という。）は、以下のとおりのものである。（下線は訂正箇所を示す。）
本件発明２
「【請求項２】
　
建築物の外壁仕上げ材を補修する外壁仕上げ材の補修工法であって、
　
前記外壁仕上げ材を前記建築物の躯体に接着する接着層と前記躯体との間に隙間が生じ、前記外壁仕上げ材が前記躯体から浮いている浮き部を特定する工程と、
　
前記浮き部の領域内に位置する前記外壁仕上げ材としてのタイルの目地における第１の位置に、前記目地を貫通するとともに、前記接着層を貫通して、前記躯体の表面から所定の深さに達する孔を形成する工程と、
　
前記孔から接着材を注入することにより、前記隙間に前記接着材を充填する工程と、
　
前記接着材が充填された後、ビスアンカー部材を前記孔に挿入して締め付けることにより、前記接着層を前記躯体に固定する工程と、
　
前記ビスアンカー部材を孔埋め材によって覆う工程と、
　
充填された前記接着材を硬化させる工程と
を備え、
　
前記接着層を前記躯体に固定する工程では、
　
前記ビスアンカー部材として、一端側に頭部が形成され、前記頭部から他端側の先端部にわたりネジ山が形成されたビスアンカー部材を用い、
　
前記接着材が注入された前記孔に、前記ビスアンカー部材を差し込み、前記ネジ山によって、前記接着層および前記躯体を切り込みながら前記ビスアンカー部材を締め付けることにより、前記ネジ山が、前記躯体および前記接着層のそれぞれに食い込む態様で、前記頭部と前記躯体との間に前記接着層がかしめられて、前記接着層が前記躯体に固定され、
　前記孔の開口端に位置する前記目地の部分に座掘りを形成する工程を含む
、外
本件発明７
「【請求項７】
　建築物の外壁仕上げ材を補修する外壁仕上げ材の補修工法であって、
　前記外壁仕上げ材と前記建築物の躯体との間に隙間が生じ、前記外壁仕上げ材が前記躯体から浮いている浮き部を特定する工程と、
　前記浮き部の領域内に位置する前記外壁仕上げ材としての外壁仕上げモルタルに、前記外壁仕上げモルタルを貫通して、前記躯体の表面から所定の深さに達する孔を形成する工程と、
　前記孔に座掘りを形成する工程と、
　前記孔から接着材を注入することにより、前記隙間に前記接着材を充填する工程と、
　前記接着材が充填された後、ビスアンカー部材を前記孔に挿入して締め付けることにより、前記外壁仕上げモルタルを前記躯体に固定する工程と、
　前記ビスアンカー部材を孔埋め材によって覆う工程と、
　充填された前記接着材を硬化させる工程と
を備え、
　前記外壁仕上げモルタルを前記躯体に固定する工程では、
　前記ビスアンカー部材として、一端側に頭部が形成され、前記頭部から他端側の先端部にわたりネジ山が形成されたビスアンカー部材を用い、
　前記接着材が注入された前記孔に、前記ビスアンカー部材を差し込み、前記ネジ山によって、前記外壁仕上げモルタルおよび前記躯体を切り込みながら前記ビスアンカー部材を締め付けることにより、前記ネジ山が、前記躯体および前記外壁仕上げモルタルのそれぞれに食い込む態様で、前記頭部と前記躯体との間に前記外壁仕上げモルタルがかしめられて、前記外壁仕上げモルタルが前記躯体に固定される、外壁仕上げ材の補修工法。」
本件発明８
「【請求項８】
　前記孔を形成する工程では、前記所定の深さは２０ｍｍ以上とされる、請求項２〜７のいずれか１項に記載の外壁仕上げ材の補修工法。」
２　取消理由の概要
　訂正前の請求項１、２、７、８に係る特許に対して平成３０年２月７日付けで特許権者に通知した取消理由の要旨は、次のとおりである。
（１）本件特許の請求項１に係る発明は、甲第１号証−１〜甲第１号証−３、甲第３号証、甲第４号証において立証される、本件特許の出願前に公然知られた発明であって、特許法第２９条第１項第１号に該当し、特許を受けることができないから、その発明に係る特許は取り消すべきものである。 
（２）本件特許の請求項１に係る発明は、甲第１号証−１〜甲第１号証−３、甲第３号証、甲第４号証において立証される、本件特許の出願前に公然実施をされた発明であって、特許法第２９条第１項第２号に該当し、特許を受けることができないから、その発明に係る特許は取り消すべきものである。 
（３）本件特許の請求項１に係る発明は、本件特許の出願前に頒布された甲第１号証−１〜甲第１号証−３、甲第３号証、甲第４号証、又は甲第２号証に記載された発明であって、特許法第２９条第１項第３号に該当し、特許を受けることができないから、その発明に係る特許は取り消すべきものである。 
（４）本件特許の請求項１、２、７、８に係る発明は、甲第１号証−１〜甲第１号証−３、甲第３号証、甲第４号証において立証される、本件特許の出願前に公然知られた発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。 
（５）本件特許の請求項１、２、７、８に係る発明は、甲第１号証−１〜甲第１号証−３、甲第３号証、甲第４号証において立証される、本件特許の出願前に公然実施をされた発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。 
（６）本件特許の請求項１、２、７、８に係る発明は、本件特許の出願前に頒布された甲第１号証−１〜甲第６号証に記載された発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。 
３　刊行物の記載
　甲第１号証−１：竹内桂、証明願、平成２９年６月２６日 
　甲第１号証−２：星野良道、証明願、平成２９年６月２３日 
　甲第１号証−３：北島晃、証明願、平成２９年６月２２日 
　甲第２号証：原田憲明、「直張りタイル仕上げの浮き補修対応工法」、建材フォーラム、株式会社工文社、２０１５年６月、Ｎｏ．４６６、表紙、ｐ．１６−１７、奥付 
　甲第３号証：「平成２７年度プレスダウングラウト工法施工技能士認定講習会開催のご案内」、アサヒボンド工業会、平成２７年５月７日 
　甲第４号証：「プレスダウングラウト工法施工技能士認定講習会テキスト」、アサヒボンド工業会、平成２７年６月、表紙、ｐ．１−１１ 
　甲第５号証：「新製品情報ＰＤピン」、会報、アサヒボンド工業会、平成２８年１月、第２８号、表紙、ｐ．１４−１５、裏表紙 
　甲第６号証：「ホーム用電動工具カタログ２０１７−０４」、株式会社マキタ、２０１７年４月、表紙、ｐ．６、１１、１２、裏表紙 
　甲第７号証：特許５１２７９４５号公報 
　甲第８号証：特許６０９２９２４号公報（本件出願後に公開）
（１）取消理由通知において引用した甲第１号証−１〜甲第１号証−３、甲第４号証の「プレスダウングラウト工法施工技能士認定講習会テキスト」（以下「テキスト」という。）には図面とともに次の記載がある。（下線は当決定で付した。以下同じ。）
　ア　「補修範囲の確認　−　打診により
浮きの状況を確認し、補修範囲を決定する
　イ　「注入孔穿孔　−　
注入孔の穿孔を行う
壁面に対し垂直に穿孔する。アンカーピン部分の穿孔深さは35mmとする。その他注入のみの部分は、浮き部に到達する深さまでとする
　ウ　「注入・ピンニング　−　
アサヒボンド576の主剤・硬化剤
充填は手動式注入器を用い、打診により適切な拡がりを確認しながら行う
　・内圧による注入材の戻りを防止するため、手動式注入器のノズルを抜いたら即時に釘等で栓をする。暫く放置しておくと、内圧で注入材は更に拡がる。ＰＤフレームの外側まで拡がり、共浮きを生じる場合もある。
　・１箇所から大量に注入を行うと、目地破壊や注入材の戻りが長時間止まらない等の弊害が起こるので、充分注意しなければならない。
　・僅かな注入で目地破壊を起こす等、適切な注入ができない場合は、当該箇所または近隣に穿孔して新たな注入孔を設け、再注入する。
　・
ＰＤアンカーの場合は、釘栓を抜き、注入材の戻りが穏やかになったことを確認し、インパクトドライバで挿入する。ステンレス製アンカーピンの場合は、釘栓を抜き、注入材の戻りがないことを確認してからアンカーピンの挿入を行う
　エ　「ＰＤフレームの取外し・仕上げ養生・清掃　−　
注入したエポキシ樹脂の戻りが完全に解消した後、フレームを取り外す
ＰＤピンを使用した場合は直後に取り外せる
取外し後は、タイル用目地材等で仕上げる
　オ　テキスト６頁上部左の写真及び上記イの記載から、
タイルの目地の位置に目地を貫通するように注入孔の穿孔を行っている
　カ　上記ウの「アサヒボンド576の主剤・硬化剤」は
注入材（接着材）
　キ　上記ウ、エの記載及びテキスト８頁の写真から、「注入材の戻りが穏やかになったことを確認し、インパクトドライバで挿入」されるのはＰＤピンであると解される。
　ク　上記エの「注入したエポキシ樹脂の戻りが完全に解消した後、フレームを取り外す」の記載から、
注入した注入材（接着材）を硬化させている
　ケ　テキスト８頁のＰＤピンの写真から、
ＰＤピンは、一端側に頭部が形成され、前記頭部から他端側の先端部にわたりネジ山が形成されている
　コ　テキスト６頁の写真及び上記アの浮きの状況を確認する等の記載から見て、タイルの下には
接着層が存在している
アンカーピン部分に穿孔される孔は接着層を貫通して躯体の表面から所定の深さに達する孔
ＰＤピンにより接着層が躯体に固定される
注入材（接着材）が注入された孔に、ＰＤピンを差し込み、ＰＤピンのネジ山によって、接着層および躯体を切り込みながらＰＤピンを締め付けることにより、前記ネジ山が、前記躯体および前記接着層のそれぞれに食い込む態様で、前記頭部と前記躯体との間に前記接着層がかしめられて、前記接着層が前記躯体に固定されている
（２）上記（１）を踏まえると、甲第１号証−１〜甲第１号証−３、甲第４号証には以下の発明（以下「甲１発明」という。）が記載されていると認められる。また、甲第２号証においても、甲第１号証−１〜甲第１号証−３、甲第４号証と概ね同じ記載があるから、実質的に甲１発明と同様の発明が記載されていると認める。
甲１発明
「タイルを補修するタイルの補修工法であって、
　浮きの状況を確認し、補修範囲を決定し、
　前記補修範囲のタイルの目地の位置に目地を貫通するように壁面に対し垂直に注入孔の穿孔を行い、穿孔される孔は接着層を貫通して躯体の表面から所定の深さに達する孔であり、
　注入孔から接着材を充填し、
　接着材の充填後、ＰＤピンを、注入材（接着材）の戻りが穏やかになったことを確認し、インパクトドライバで注入孔に挿入し、ＰＤピンにより接着層が躯体に固定され、
　注入した注入材（接着材）を硬化させ、
　タイル用目地材等で仕上げ、
　ＰＤピンは、一端側に頭部が形成され、前記頭部から他端側の先端部にわたりネジ山が形成されており、
　注入材（接着材）が注入された孔に、ＰＤピンを差し込み、ＰＤピンのネジ山によって、接着層および躯体を切り込みながらＰＤピンを締め付けることにより、前記ネジ山が、前記躯体および前記接着層のそれぞれに食い込む態様で、前記頭部と前記躯体との間に前記接着層がかしめられて、前記接着層が前記躯体に固定されている、
　タイルの補修工法」
４　取消理由通知に記載した取消理由（第２９条第１項第１号〜第３号、第２９条第２項）について
（１）本件発明２について（第２９条第２項）
　ア　本件発明２と甲１発明の対比
　本件発明２と、甲１発明を対比すると、少なくとも以下の点で相違する。
＜相違点１＞
　本件発明２が「孔の開口端に位置する前記目地の部分に座掘りを形成する工程を含む」のに対し、甲１発明では、そのような特定がなされていない点。
　イ　判断
　相違点１について検討するに、「孔の開口端に位置する前記目地の部分に座掘りを形成する」ことについて、本件明細書には「【００３８】さらに、注入孔１３の開口端の目地７の部分に座掘り１６（溝）を形成することで、注入孔１３にエポキシ樹脂１９を注入してタッピングビス１７を締め付ける際に、溢れたエポキシ樹脂１９が座掘り１６に溜めることができる。これにより、タイル５の表面がエポキシ樹脂１９によって汚染されるのを防止することができる」との効果が記載されている。
　一方、甲第１号証−１〜甲第１号証−３、甲第２号証、甲第４号証には座堀りを形成することやその効果について何ら記載されておらず、そのような手段を備えることを示唆する記載もない。また、甲第３号証、甲第５号証〜甲第７号証にも同様に上記相違点１についての記載はない。
　申立人は、平成３０年６月６日付け意見書（以下「申立人意見書」という。）において「この点に関し、「接着剤の充填、アンカーピンの埋め込みを行うべく穿設した孔の開口部に座掘りを形成すること」が本件特許の出願当時、この技術分野において周知技術であったことを立証する証拠を提出する。・・・「孔の開口端に位置する部分に座堀りを形成する」ことは、本件特許の出願当時、この技術分野の当業者に周知の技術であった。そこで、「接着剤の充填、アンカーピンの埋め込みを行うべく穿設した孔の開口部に座掘りを形成する」ことは、本件特許の出願当時の当業者にとって設計変更程度の事項に過ぎないと認められる」（申立人意見書１頁下から９行〜２頁２３行）旨主張するが、申立人意見書に添付された参考資料１、２には座堀りが形成された事例が記載されているものの、タイルに穿設した孔に座堀りが形成されたものであり、目地に穿設した孔に座堀りが形成されたものではないから、上記相違点１に係る構成が周知技術とまでいえるものではない。また、本件発明２おける上記相違点１に係る効果についても、参考資料１、２からは参酌することはできない。
　したがって、甲１発明において相違点１に係る本件発明２の構成にすることは、当業者が容易に想到し得ることではない。
　なお、甲１発明は、甲第１号証−１〜甲第５号証の記載から見て、本件特許の出願前に公然知られた発明、公然実施をされた発明及び頒布された刊行物に記載された発明であると認める。
（２）本件発明７について（第２９条第２項）
　ア　本件発明７と甲１発明の対比
　本件発明７と、甲１発明を対比すると、少なくとも以下の点で相違する。
＜相違点２＞
　本件発明７が「外壁仕上げ材としての外壁仕上げモルタル」の補修工法であるのに対し、甲１発明では、外壁仕上げ材としてのタイルの補修工法である点。
　イ　判断
　相違点２について検討するに、外壁仕上げモルタルの補修工法について、甲第１号証−１〜甲第１号証−３、甲第２号証、甲第４号証、さらには甲第３号証、甲第５号証〜甲第７号証にも記載及び示唆はない。
　申立人は、特許異議申立書（以下「申立書」という。）において、「・・・また、甲第２号証には、「アサヒボンド５７６は、タイル張り仕上げ、モルタル塗り仕上げ等の浮き補修用注入材として開発され、揺変性を付与した注入材のパイオニアとして４５年の販売実績がある。」（１７頁左欄第２３行〜右欄６行）という記載が存在している。そこで、甲第１号証−１乃至甲第１号証−３、甲第３号証、甲第４号証で公知、公用、刊行物公知になっている発明、甲第２号証、甲第５号証記載の発明を、「外壁仕上げ材としての外壁仕上げモルタル」が躯体から浮いている浮き部の補修に適用することを当業者が発想することに困難はない。」（申立書２３頁５行〜１３行）旨主張するが、甲第２号証の「モルタル塗り仕上げ等の浮き補修用注入材として開発され」等の記載は、アサヒボンド５７６の用途についての記載までであって、甲１発明の補修工法をそのままモルタル塗り仕上げに適用する動機付けとなるものではない。
　したがって、甲１発明の補修工法を外壁仕上げモルタルに適用する動機付けも見受けられないことから、甲１発明において、相違点２に係る本件発明７の構成にすることは、当業者が容易に想到し得ることではない。
（３）本件発明８について（第２９条第２項）
　本件発明８は、本件発明２又は本件発明７に従属し、本件発明２又は本件発明７の発明特定事項をすべて含むものであるから、本件発明２又は本件発明７と同様の理由（上記（１）、（２）参照）により、甲１発明において、相違点１又は相違点２に係る本件発明８の構成にすることは、当業者が容易に想到し得ることではない。 
（４）まとめ
　したがって、本件発明２、７、８は、甲第１号証−１〜甲第１号証−３、甲第３号証、甲第４号証において立証される、本件特許の出願前に公然知られた発明に基いて、その出願前にその発明の属する技術の分野における通常の知識を有する者が容易に発明をすることができたものでないから、特許法第２９条第２項の規定に違反してされたものではない。
　また、本件発明２、７、８は、甲第１号証−１〜甲第１号証−３、甲第３号証、甲第４号証において立証される、本件特許の出願前に公然実施をされた発明に基いて、その出願前にその発明の属する技術の分野における通常の知識を有する者が容易に発明をすることができたものでないから、特許法第２９条第２項の規定に違反してされたものではない。
　さらに、本件発明２、７、８は、本件特許の出願前に頒布された甲第１号証−１〜甲第７号証に記載された発明に基いて、その出願前にその発明の属する技術の分野における通常の知識を有する者が容易に発明をすることができたものでないから、特許法第２９条第２項の規定に違反してされたものではない。
 ５　請求項１に対する特許異議の申立てについて 
　上記第２のとおり、請求項１を削除する本件訂正が認められたので、請求項１に対する本件特許異議の申立ては、その対象が存在しないものとなった。 
　したがって、請求項１に対する本件特許異議の申立ては、不適法な特許異議の申立てであるから、特許法第１２０条の８第１項で準用する同法第１３５条の規定によって却下すべきである。 
第４　むすび
　以上のとおりであるから、平成３０年２月７日付け取消理由通知及び特許異議申立書に記載した特許異議申立理由、証拠によっては、本件請求項２、７、８に係る特許を取り消すことはできない。
　また、他に本件請求項２、７、８に係る特許を取り消すべき理由を発見しない。
　そして、請求項１に対する本件特許異議の申立ては、特許法第１２０条の８第１項で準用する同法第１３５条の規定によって却下すべきものである。
　よって、結論のとおり決定する。
【異議決定日】
平成３０年７月１０日（２０１８．７．１０）
【訂正の要旨】
審決（決定）の【理由】欄参照。
（５７）【特許請求の範囲】
　【請求項１】
　（削除）
　【請求項２】
　
建築物の外壁仕上げ材を補修する外壁仕上げ材の補修工法であって、
　
前記外壁仕上げ材を前記建築物の躯体に接着する接着層と前記躯体との間に隙間が生じ、前記外壁仕上げ材が前記躯体から浮いている浮き部を特定する工程と、
　
前記浮き部の領域内に位置する前記外壁仕上げ材としてのタイルの目地における第１の位置に、前記目地を貫通するとともに、前記接着層を貫通して、前記躯体の表面から所定の深さに達する孔を形成する工程と、
　
前記孔から接着材を注入することにより、前記隙間に前記接着材を充填する工程と、
　
前記接着材が充填された後、ビスアンカー部材を前記孔に挿入して締め付けることにより、前記接着層を前記躯体に固定する工程と、
　
前記ビスアンカー部材を孔埋め材によって覆う工程と、
　
充填された前記接着材を硬化させる工程と
を備え、
　
前記接着層を前記躯体に固定する工程では、
　
前記ビスアンカー部材として、一端側に頭部が形成され、前記頭部から他端側の先端部にわたりネジ山が形成されたビスアンカー部材を用い、
　
前記接着材が注入された前記孔に、前記ビスアンカー部材を差し込み、前記ネジ山によって、前記接着層および前記躯体を切り込みながら前記ビスアンカー部材を締め付けることにより、前記ネジ山が、前記躯体および前記接着層のそれぞれに食い込む態様で、前記頭部と前記躯体との間に前記接着層がかしめられて、前記接着層が前記躯体に固定され、
　前記孔の開口端に位置する前記目地の部分に座掘りを形成する工程を含む
、外
　【請求項３】
　前記接着材を注入する前に、前記浮き部の前記領域内に位置する前記タイルの前記目地における、前記第１の位置から距離を隔てられた第２の位置に、前記躯体に達する空気抜き孔を形成する工程を含む、請求
項２
　【請求項４】
　前記接着材を注入する前に、
　前記浮き部の前記領域内に位置する前記タイルの前記目地における、前記第１の位置から距離を隔てられた第２の位置に、前記目地を貫通するとともに、前記接着層を貫通して、前記躯体の表面から他の所定の深さに達する他の孔を形成する工程と、
　タッピングビスを前記他の孔に挿入して締め付けることにより、前記接着層を前記躯体に固定する工程と
を含む、請求
項２
　【請求項５】
　建築物の外壁仕上げ材を補修する外壁仕上げ材の補修工法であって、
　前記外壁仕上げ材を前記建築物の躯体に接着する接着層と前記外壁仕上げ材との間に隙間が生じ、前記外壁仕上げ材が前記接着層から浮いている浮き部を特定する工程と、
　前記浮き部の領域内に位置する前記外壁仕上げ材としてのタイルに、前記タイルを貫通するとともに、前記接着層を貫通して、前記躯体の表面から所定の深さに達する孔を形成する工程と、
　前記孔に座掘りを形成する工程と、
　前記孔から接着材を注入することにより、前記隙間に前記接着材を充填する工程と、
　前記接着材が充填された後、ビスアンカー部材を前記孔に挿入して締め付けることにより、前記タイルを前記接着層に固定する工程と、
　前記ビスアンカー部材を孔埋め材によって覆う工程と、
　充填された前記接着材を硬化させる工程と
を備え、
　前記接着層を前記躯体に固定する工程では、
　前記ビスアンカー部材として、一端側に頭部が形成され、前記頭部から他端側の先端部にわたりネジ山が形成されたビスアンカー部材を用い、
　前記接着材が注入された前記孔に、前記ビスアンカー部材を差し込み、前記ネジ山によって、前記タイル、前記接着層および前記躯体を切り込みながら前記ビスアンカー部材を締め付けることにより、前記ネジ山が、前記躯体、前記接着層および前記タイルのそれぞれに食い込む態様で、前記頭部と前記躯体との間に前記接着層と前記タイルとがかしめられて、前記接着層が前記タイルとともに前記躯体に固定される、外壁仕上げ材の補修工法。
　【請求項６】
　前記孔を形成する工程では、前記孔は前記タイルの中央に形成される、請求項５記載の外壁仕上げ材の補修工法。
　【請求項７】
　建築物の外壁仕上げ材を補修する外壁仕上げ材の補修工法であって、
　前記外壁仕上げ材と前記建築物の躯体との間に隙間が生じ、前記外壁仕上げ材が前記躯体から浮いている浮き部を特定する工程と、
　前記浮き部の領域内に位置する前記外壁仕上げ材としての外壁仕上げモルタルに、前記外壁仕上げモルタルを貫通して、前記躯体の表面から所定の深さに達する孔を形成する工程と、
　前記孔に座掘りを形成する工程と、
　前記孔から接着材を注入することにより、前記隙間に前記接着材を充填する工程と、
　前記接着材が充填された後、ビスアンカー部材を前記孔に挿入して締め付けることにより、前記外壁仕上げモルタルを前記躯体に固定する工程と、
　前記ビスアンカー部材を孔埋め材によって覆う工程と、
　充填された前記接着材を硬化させる工程と
を備え、
　前記外壁仕上げモルタルを前記躯体に固定する工程では、
　前記ビスアンカー部材として、一端側に頭部が形成され、前記頭部から他端側の先端部にわたりネジ山が形成されたビスアンカー部材を用い、
　前記接着材が注入された前記孔に、前記ビスアンカー部材を差し込み、前記ネジ山によって、前記外壁仕上げモルタルおよび前記躯体を切り込みながら前記ビスアンカー部材を締め付けることにより、前記ネジ山が、前記躯体および前記外壁仕上げモルタルのそれぞれに食い込む態様で、前記頭部と前記躯体との間に前記外壁仕上げモルタルがかしめられて、前記外壁仕上げモルタルが前記躯体に固定される、外壁仕上げ材の補修工法。
　【請求項８】
　前記孔を形成する工程では、前記所定の深さは２０ｍｍ以上とされる、請求項
２
　【請求項９】
　
建築物の外壁仕上げ材を補修する外壁仕上げ材の補修工法であって、
　
前記外壁仕上げ材を前記建築物の躯体に接着する接着層と前記躯体との間に隙間が生じ、前記外壁仕上げ材が前記躯体から浮いている浮き部を特定する工程と、
　
前記浮き部の領域内に位置する前記外壁仕上げ材としてのタイルの目地における第１の位置に、前記目地を貫通するとともに、前記接着層を貫通して、前記躯体の表面から所定の深さに達する孔を形成する工程と、
　
前記孔から接着材を注入することにより、前記隙間に前記接着材を充填する工程と、
　
前記接着材が充填された後、ビスアンカー部材を前記孔に挿入して締め付けることにより、前記接着層を前記躯体に固定する工程と、
　
前記ビスアンカー部材を孔埋め材によって覆う工程と、
　
充填された前記接着材を硬化させる工程と
を備え、
　
前記接着層を前記躯体に固定する工程では、
　
前記ビスアンカー部材として、一端側に頭部が形成され、前記頭部から他端側の先端部にわたりネジ山が形成されたビスアンカー部材を用い、
　
前記接着材が注入された前記孔に、前記ビスアンカー部材を差し込み、前記ネジ山によって、前記接着層および前記躯体を切り込みながら前記ビスアンカー部材を締め付けることにより、前記ネジ山が、前記躯体および前記接着層のそれぞれに食い込む態様で、前記頭部と前記躯体との間に前記接着層がかしめられて、前記接着層が前記躯体に固定され、
　
前記接着材を注入する前に、前記浮き部の前記領域内に位置する前記タイルの前記目地における、前記第１の位置から距離を隔てられた第２の位置に、前記躯体に達する空気抜き孔を形成する工程を含む、外壁仕上げ材の補修工法。
　【請求項１０】
　
建築物の外壁仕上げ材を補修する外壁仕上げ材の補修工法であって、
　
前記外壁仕上げ材を前記建築物の躯体に接着する接着層と前記躯体との間に隙間が生じ、前記外壁仕上げ材が前記躯体から浮いている浮き部を特定する工程と、
　
前記浮き部の領域内に位置する前記外壁仕上げ材としてのタイルの目地における第１の位置に、前記目地を貫通するとともに、前記接着層を貫通して、前記躯体の表面から所定の深さに達する孔を形成する工程と、
　
前記孔から接着材を注入することにより、前記隙間に前記接着材を充填する工程と、
　
前記接着材が充填された後、ビスアンカー部材を前記孔に挿入して締め付けることにより、前記接着層を前記躯体に固定する工程と、
　
前記ビスアンカー部材を孔埋め材によって覆う工程と、
　
充填された前記接着材を硬化させる工程と
を備え、
　
前記接着層を前記躯体に固定する工程では、
　
前記ビスアンカー部材として、一端側に頭部が形成され、前記頭部から他端側の先端部にわたりネジ山が形成されたビスアンカー部材を用い、
　
前記接着材が注入された前記孔に、前記ビスアンカー部材を差し込み、前記ネジ山によって、前記接着層および前記躯体を切り込みながら前記ビスアンカー部材を締め付けることにより、前記ネジ山が、前記躯体および前記接着層のそれぞれに食い込む態様で、前記頭部と前記躯体との間に前記接着層がかしめられて、前記接着層が前記躯体に固定され、
　
前記接着材を注入する前に、
　
前記浮き部の前記領域内に位置する前記タイルの前記目地における、前記第１の位置から距離を隔てられた第２の位置に、前記目地を貫通するとともに、前記接着層を貫通して、前記躯体の表面から他の所定の深さに達する他の孔を形成する工程と、
　
タッピングビスを前記他の孔に挿入して締め付けることにより、前記接着層を前記躯体に固定する工程と
を含む、外壁仕上げ材の補修工法。
　【請求項１１】
　
前記孔を形成する工程では、前記所定の深さは２０ｍｍ以上とされる、請求項９または請求項１０に記載の外壁仕上げ材の補修工法。